(57)【要約】【課題】感情を伴ったヒトとのコミュニケーションを行う装置を提供する。【解決手段】従来のヒトと感情を伴ったコミュニケーションをとろうとする人工知能は、膨大な外部からの、既知のパターン情報を蓄積することでヒトとのコミュニケーションの判断基準を形成していた。その際、既知のパターン情報は、ニューロンを模した装置の結合により情報を蓄積する脳型の装置を形成しているものが多い。本件は、身体の密接な相互作用で成り立つといわれる感情を、肉体的変化として装置に取り入れることで、感情を伴ったヒトとのコミュニケーションを行えるようにするものである。【選択図】図１
2016018461.tif 000002
【特許請求の範囲】
【請求項１】
他者とのコミュニケーションを行う装置に関して、ヒトの肉体的変化(「ヒト肉体内部情報１」、「筋肉情報ユニット１３」、「血管ユニット１４」、「栄養ユニット１５」、「顔情報ユニット１６」、「腕・手情報ユニット１７」、「脚情報ユニット１８」)を装置に取り入れた神経細胞を模したユニットで構成するヒトの脳型人工知能。
【発明の詳細な説明】
【技術分野】
【０００１】
本発明は、他者（主にヒト等）と感情を伴ったコミュニケーションを行う方法を提示する。
【背景技術】
【０００２】
従来のヒトと感情を伴ったコミュニケーションをとろうとする人工知能は、膨大な外部からの、
既知のパターン情報を蓄積することでヒトとのコミュニケーションの判断基準を形成していた。
その際、既知のパターン情報は、ニューロンを模した装置の結合により情報を蓄積する脳型の装置を形成している。
【０００３】
一方、ヒトの感情はヒトの身体の密接な相互作用で成り立っているといわれており、ヒトと感情を持ったコミュニケーションを行おうとする従来のニューロンを模した装置では、ヒトの身体的情報を装置に取り入れたものはなかった。
【先行技術文献】
【特許文献】
【０００４】
【特許文献１】「人間の脳の電子的なエミュレーションに心理学的な気質を取り入れるための方法」  特許公開２０１３−４７９７２
【発明の概要】
【発明が解決しようとする課題】
【０００５】
従来の装置が行うヒトとのコミュニケーションは、感情に伴うコミュニケーションに乏しくしばしば機械的な反応をしたり、装置から自発的にコミュニケーションを行うことは難しかった。
本発明では、この課題を解消するためになされたものである。
【課題を解決するための手段】
【０００６】
本発明は、ヒトと感情を伴ったコミュニケーションを実現するため、ヒトとのコミュニケーションを行った際の各種反応時のヒトの肉体的変化を記憶(記録)できるように「ヒト肉体内部情報１」、「筋肉情報ユニット１３」、「血管ユニット１４」、「栄養ユニット１５」、「顔情報ユニット１６」、「腕・手情報ユニット１７」、「脚情報ユニット１８」の、ヒトの肉体的変化（生・死に関わる情報、血管・筋肉・栄養素）の情報を装置内に組み入れることを最も主要な特徴とする。
【０００７】
ヒトの肉体的特長として、五感（視覚、聴覚、触覚、嗅覚、味覚）を司る装置（図中２〜１１）に加え、ヒト肉体内部の状態を司る装置（図中１、１３〜１８）からの情報も、同時に脳型装置(図中１２)に入力する。
【０００８】
この時、各ユニット（例えば、ヒト肉体内部情報ユニット１や脳型ユニット１２など）は、神経細胞を模したグループ（神経細胞を模したグループ２４）で構成する(各ユニットの構成２５)。
【０００９】
神経細胞を模したグループ(図中２４)は、ある閾値を超えると発火（出力１）、それ以外は発火しない（出力０）のデジタル信号を出力するユニット（細胞装置２２）を多数相互に接続し、相互に接続された細胞装置同士(図中２２)がある時間間隔内で同時に発火した場合は細胞装置間の結合（図中２３）が強まり、同時に発火しなかった場合は細胞装置間の結合（図中２３）が弱まる。
【００１０】
五感情報（図中２〜１１）および肉体内部の状態からの情報（図中１、１３〜１８）が繰り返し脳型装置(図中１２)に入力されることで、五感情報と肉体内部の状態が、脳型装置内(図中１２)の神経細胞を模したグループ(図中２４)同士の結合(神経細胞を模したグループ間の結合２６)状態として記憶（記録）される。
【００１１】
記憶(記録)の初期段階では、五感情報と肉体内部の状態がダイレクトに結びつくことで、肉体内部の状態を維持しようとすることがコミュニケーションの判断基準（痛いのか空腹なのか、等）となり、ヒトが生きるための（死なないための）知識を蓄積していくことになる。この段階を経ることで、ヒトの肉体的特長が知識・知能として脳型装置(図中１２)に記憶(記録)される。
【００１２】
こうやって、ヒトの種としての五感情報を各種センサ(図中７〜１１)から受け取り、肉体内部の状態からの情報（図中１、１３〜１８）を同時に脳型装置(図中１２)に記憶(記録)していくことで、五感情報を各種センサ(図中７〜１１)から受けとったコミュニケーション相手のヒトの反応と、装置内の肉体内部の状態を同時に脳型装置(図中１２)に記憶(記録)していき、ヒトの肉体的変化（例えば動悸が起こる→不安定）と各種センサ(図中７〜１１)から受け取ったコミュニケーション相手の反応を脳型装置(図中１２)に記憶(記録)することで、各種センサ(図中７〜１１)から受け取った情報と装置内部の肉体的変化の情報とをリンクすることができる。
【００１３】
この時、ヒトの種としての五感情報を受け取るセンサ(図中７〜１１)は、一般的にヒトが体感できる範囲の情報のみ受け取るようにする。
【００１４】
ヒトとしての五感情報と肉体的変化の情報が脳型装置(図中１２)に記憶(記録)によりリンクされた段階では、コミュニケーション相手のヒトの状態を、装置内の肉体的変化として置き換えることができ、ヒトの肉体内部の変化（動悸やアドレナリン分泌による身体活性など）に起因するコミュニケーション(身体的変化に起因する感情想起を伴ったコミュニケーション)が可能となる。
【発明の効果】
【００１５】
あらうゆる装置が、ヒトと感情を伴ったコミュニケーションが可能となる。
例えば、より感情を汲み取った老人ホーム等で活躍するコミュニケーションロボットや接客、UIへの応用、自動車や乗り物等の応答システムなど。
【図面の簡単な説明】
【００１６】
【図１】図１はヒトと感情を伴ったコミュニケーションを行う方法の構成図である。
【図２】図２は各ユニットの構成図である。
【図３】図３は実施の形態である。
【発明を実施するための形態】
【００１７】
各種センサ(図中７〜１１)をプログラムが動作可能なコンピュータに接続し、各種センサからのデジタル信号を、各ユニット(図中１〜１８、２２〜２６)をエミュレートしたコンピュータに入力する。
アウトプットは、コンピュータに接続したアウトプット装置(図中１９〜２１)を稼動させることで実現する。<BR>
【符号の説明】
【００１８】
１  ヒト肉体内部情報ユニット
２  視覚情報受容ユニット
３  触覚情報受容ユニット
４  聴覚情報受容ユニット
５  嗅覚情報受容ユニット
６  味覚情報受容ユニット
７  視覚センサ
８  触覚センサ
９  聴覚センサ
１０  嗅覚センサ
１１  味覚センサ
１２  脳型ユニット
１３  筋肉情報ユニット
１４  血管ユニット
１５  栄養ユニット
１６  顔情報ユニット
１７  腕・手情報ユニット
１８  脚情報ユニット
１９  顔装置
２０  腕・手装置
２１  脚装置
２２  細胞装置
２３  細胞装置間の結合
２４  神経細胞を模したグループ
２５  各ユニットの構成
２６  神経細胞を模したグループ間の結合
２７  プログラムが動作可能なコンピュータ
２８  入力センサ
２９  アウトプット装置
３０  ヒトとの感情を伴ったコミュニケーションが可能な知能の獲得をエミュレートしたコンピュータ
【図１】
2016018461.tif 000003
【図２】
2016018461.tif 000004
【図３】
2016018461.tif 000005